(57)【要約】【課題】イオンの析出を抑制することができる蓄電装置を提供すること。【解決手段】二次電池１０において、セパレータ２７は、互いに対峙する一対のセパレータシート２７ａを溶着して形成されている。セパレータ２７は、縁部同士を接合した接合部２７ｇを有する。隙間充填部材５０は、複数枚のシート部材５１の積層体であり、かつ全てのシート部材５１同士を溶着した溶着部５０ａと、溶着部５０ａで囲まれた本体部５０ｂと、を有している。電極組立体１４の積層方向において、本体部５０ｂは、負極電極２４を介して正極電極２１の活物質層２３の全面に対向している。【選択図】図５
2015191724.tif 000002
【特許請求の範囲】
【請求項１】
負極電極、及びセパレータで包まれた正極電極を交互に積層した電極組立体と、
前記電極組立体を収容したケースと、
前記電極組立体の積層方向の端面と該端面に対向した前記ケースの内面との隙間に充填される隙間充填部材と、を有する蓄電装置であって、
前記セパレータは、互いに対峙する一対のセパレータシートの縁部同士を溶着して形成されており、
前記隙間充填部材は、複数枚のシート部材の積層体であり、かつ全てのシート部材の縁部同士を溶着した溶着部と、
該溶着部で囲まれた本体部と、を有しており、
前記電極組立体の積層方向において、前記本体部は、前記負極電極を介して前記正極電極の活物質層の全面に対向していることを特徴とする蓄電装置。
【請求項２】
前記隙間充填部材は、全てのシート部材の縁部同士で全周に亘って溶着されている請求項１に記載の蓄電装置。
【請求項３】
前記隙間充填部材は、第１シート部材と、該第１シート部材よりも外形サイズの大きい第２シート部材との積層体であり、１枚以上の第１シート部材を、前記積層体での積層方向の両側から前記第２シート部材で挟んで構成され、前記第２シート部材において積層方向に対峙する縁部が溶着されている請求項１に記載の蓄電装置。
【請求項４】
前記蓄電装置は二次電池である請求項１〜請求項３のうちいずれか一項に記載の蓄電装置。
【発明の詳細な説明】
【技術分野】
【０００１】
本発明は、負極電極、及びセパレータで包まれた正極電極を交互に積層した電極組立体と、電極組立体を収容したケースと、電極組立体の積層方向の少なくとも一方の端面と該端面に対向したケースの内面との隙間に充填される隙間充填部材と、を有する蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、例えば両面に活物質層が形成された矩形状の正極電極と負極電極がセパレータを間に挟んだ状態で積層された電極組立体をケース内に備える。
【０００３】
二次電池のうち、例えば、角型の二次電池の製造時には、正極電極、セパレータ、及び負極電極を積層して電極組立体を形成した後、電極組立体は、その積層方向に荷重を加えた状態で拘束され、その拘束状態での積層方向への長さが測定される。そして、電極組立体の積層方向への長さが、所定の値の範囲内にあるか否かが判断される。
【０００４】
電極組立体の積層方向への長さがケースの内寸より大きいと、その電極組立体はケースに収容できないからである。また、電極組立体の積層方向への長さがケースの内寸より小さいと、例えば、ケース内にて、電極組立体の積層方向の端面と、端面に対向するケースの内面との間の隙間が大きくなりすぎ、電極組立体がケース内で積層方向へ移動したりし、好ましくないからである。そこで、電極組立体の積層方向への長さが、ケースの内寸より小さい場合であっても、積層方向への長さが所定の値の範囲内にない場合は不適格品とみなされる。
【０００５】
一方、電極組立体の積層方向への長さが所定の値の範囲内にある場合には、ケースの内寸との差について、電極組立体の端面と、ケースの内面との隙間に隙間充填部材を充填し、隙間を塞いでいる。隙間充填部材には、１枚、又は複数枚のシート部材を重ねたものがあり、隙間の大きさに合わせて使用するシート部材の枚数が決定される。隙間を塞ぐ作業の作業性を高めるには、例えば、特許文献１のように複数枚の樹脂製のシート部材を予め溶着して一体化しておくのが良い。これは、複数枚のシート部材の扱いが容易になるだけでなく、複数枚のシート部材を一括して隙間に充填することができるためである。
【先行技術文献】
【特許文献】
【０００６】
【特許文献１】特開２００９−４８９６６号公報
【発明の概要】
【発明が解決しようとする課題】
【０００７】
隙間充填部材が隙間に充填された状態では、電極組立体は積層方向に拘束され、電極組立体には積層方向に圧力が加わる。ところが、樹脂製のシート部材同士を溶着して一体化した隙間充填部材において、溶着箇所は溶着に伴い収縮している一方で、非溶着箇所は収縮しておらず、隙間充填部材の面方向に沿って厚みがばらついている。このため、隙間充填部材から電極組立体に加わる圧力が溶着箇所と非溶着箇所とで異なり、電極組立体に加わる圧力が面方向にばらついてしまう。電極組立体は、二次電池におけるエネルギー密度の低下を抑える観点から、正極の活物質層の全面が、セパレータを介して負極の活物質層に対向しているように製造されている。このため、電極組立体に加わる圧力が面方向にばらつくと、積層方向における正極と負極との活物質層間の距離が面方向にばらついてしまい、イオン析出の原因となってしまう。
【０００８】
本発明は、イオンの析出を抑制することができる蓄電装置を提供することにある。
【課題を解決するための手段】
【０００９】
上記問題点を解決するための蓄電装置は、負極電極、及びセパレータで包まれた正極電極を交互に積層した電極組立体と、前記電極組立体を収容したケースと、前記電極組立体の積層方向の端面と該端面に対向した前記ケースの内面との隙間に充填される隙間充填部材と、を有する蓄電装置であって、前記セパレータは、互いに対峙する一対のセパレータシートの縁部同士を溶着して形成されており、前記隙間充填部材は、複数枚のシート部材の積層体であり、かつ全てのシート部材の縁部同士を溶着した溶着部と、該溶着部で囲まれた本体部と、を有しており、前記電極組立体の積層方向において、前記本体部は、前記負極電極を介して前記正極電極の活物質層の全面に対向していることを要旨とする。
【００１０】
これによれば、隙間充填部材の本体部は溶着部のように溶着されておらず、溶着に伴う収縮等が発生していない。このため、隙間充填部材における本体部での積層方向への長さ（厚み）には、溶着に伴う厚みのばらつきが無い。そして、この本体部が、負極電極を介して正極電極の活物質層の全面に対向している。このため、隙間充填部材が隙間に充填された状態では、正極電極の活物質層に対し、その面方向に沿って圧力を均一に加えることができる。よって、電極組立体の積層方向における正極と負極との活物質層間の距離が面方向にばらつかず、イオン析出を抑制することができる。
【００１１】
また、蓄電装置について、前記隙間充填部材は、全てのシート部材の縁部同士で全周に亘って溶着されていてもよい。
これによれば、複数枚のシート部材が面方向へずれることが抑制され、本体部の厚みが変動することを抑制することができる。
【００１２】
また、蓄電装置について、前記隙間充填部材は、第１シート部材と、該第１シート部材よりも外形サイズの大きい第２シート部材との積層体であり、１枚以上の第１シート部材を、前記積層体での積層方向の両側から前記第２シート部材で挟んで構成され、前記第２シート部材において積層方向に対峙する縁部が溶着されていてもよい。
【００１３】
これによれば、隙間充填部材では、第１シート部材は第２シート部材に挟まれただけの状態であり、第１シート部材と第２シート部材は溶着されていない。すなわち、隙間充填部材が備える溶着部は、第２シート部材の縁部だけを溶着した部位である。このため、隙間充填部材の製造は、第１シート部材の枚数が変わっても、溶着条件は、常に、対峙する第２シート部材の溶着用で変わらない。よって、積層した第１シート部材と第２シート部材の全てを溶着する場合のように、積層枚数が変わるたびに溶着条件を設定する必要が無く、積層方向への長さの異なる複数種類の隙間充填部材の製造を、溶着条件の変更無しに行うことができ、隙間充填部材の製造を効率化することができる。
【００１４】
また、蓄電装置は二次電池である。
【発明の効果】
【００１５】
本発明によれば、イオンの析出を抑制することができる。
【図面の簡単な説明】
【００１６】
【図１】実施形態の二次電池を示す分解斜視図。
【図２】実施形態の二次電池の外観を示す斜視図。
【図３】電極組立体の構成要素及び隙間充填部材を示す分解斜視図。
【図４】隙間充填部材を示す平面図。
【図５】電極組立体及び隙間充填部材を示す断面図。
【図６】隙間充填部材の別例を示す斜視図。
【発明を実施するための形態】
【００１７】
以下、蓄電装置を二次電池に具体化した一実施形態を図１〜図５にしたがって説明する。
図１及び図２に示すように、蓄電装置としての二次電池１０はリチウムイオン二次電池であり、二次電池１０は、二次電池１０の外郭を構成する金属製のケース１１を備える。ケース１１は、一面に開口部１２ａを有する有底直方体状のケース本体１２と、ケース本体１２の開口部１２ａを塞ぐ蓋体１３を有する。ケース本体１２は、長方形状の底板１２ｂと、底板１２ｂの対向する一対の短側縁から立設された短側壁１２ｃと、底板１２ｂの対向する一対の長側縁から立設された長側壁１２ｄとを備える。ケース１１には、電極組立体１４及び電解質としての電解液（図示略）が収容されている。電極組立体１４は、ケース本体１２の内部空間が直方体形状であることに対応させて、全体として直方体形状である。蓋体１３は注液口１３ａを備え、注液口１３ａからケース１１内に電解液が注入可能である。注液口１３ａは、電解液の注入後に封止栓１３ｃによって封止されている。
【００１８】
図３に示すように、電極組立体１４は、複数の正極電極２１と、複数の負極電極２４とが、両者の間にセパレータ２７が介在する状態で交互に積層された積層型の構成である。正極電極２１は、矩形状の正極用金属箔（本実施形態ではアルミニウム箔）２２と、その正極用金属箔２２の両面に設けられた矩形状の正極用の活物質層２３と、を有する。正極用金属箔２２の両面の活物質層２３は、同じ平面形状及び同じ厚みが設定されており、かつ正極用金属箔２２を挟んで互いに対向している。正極電極２１は、その第１の辺２２ｃに沿って、活物質層２３が設けられず、正極用金属箔２２が露出した正極未塗工部２２ｄを有する。そして、正極電極２１において、正極未塗工部２２ｄの第１の辺２２ｃの一部には、正極用の集電タブ３１が突出する状態に設けられている。正極電極２１において、正極の集電タブ３１が設けられた第１の辺２２ｃの対辺を第２の辺２２ｅとし、第１の辺２２ｃと第２の辺２２ｅを繋ぐ一対の辺を第３の辺２２ｆとする。
【００１９】
負極電極２４は、矩形状の負極用金属箔（本実施形態では銅箔）２５と、その負極用金属箔２５の両面に設けられた矩形状の負極用の活物質層２６と、を有する。負極用金属箔２５の両面の活物質層２６は、同じ平面形状及び同じ厚みが設定されている。負極電極２４は、その第１の辺２５ｃに沿って、活物質層２６が設けられず、負極用金属箔２５が露出した負極未塗工部２５ｄを有する。そして、負極電極２４において、負極未塗工部２５ｄの第１の辺２５ｃの一部には、負極用の集電タブ３２が突出する状態に設けられている。負極電極２４において、負極の集電タブ３２が設けられた第１の辺２５ｃの対辺を第２の辺２５ｅとし、第１の辺２５ｃと第２の辺２５ｅを繋ぐ一対の辺を第３の辺２５ｆとする。
【００２０】
正極電極２１は、集電タブ３１の一部が突出する状態で袋状のセパレータ２７に包まれている。セパレータ２７は、矩形状の一対のセパレータシート２７ａの対向する縁部同士のうち、集電タブ３１と対向する縁部を除いた全ての縁部同士を溶着することにより、袋状となっている。よって、セパレータ２７は、正極電極２１と一体化されている。
【００２１】
なお、セパレータ２７は、樹脂製にて、電気伝導に係るイオン（リチウムイオン）が通過可能な微小孔を有する多孔質膜で形成されている。また、セパレータ２７において、正極電極２１の第１の辺２２ｃに沿って延びる辺を、第１の辺２７ｃとし、第１の辺２７ｃの対辺で、かつ正極電極２１の第２の辺２２ｅに沿って延びる辺を第２の辺２７ｅとする。また、セパレータ２７において、第１の辺２７ｃと第２の辺２７ｅを繋ぎ、かつ正極電極２１の第３の辺２２ｆに沿って延びる一対の辺を第３の辺２７ｆとする。
【００２２】
図３及び図５に示すように、セパレータ２７は、セパレータシート２７ａの縁部同士を溶着した接合部２７ｇを有し、接合部２７ｇは、集電タブ３１を除いた四辺全体に亘って設けられ、四角環状である。接合部２７ｇにおいて、セパレータ２７の面に沿い、かつ各辺２７ｃ，２７ｅ，２７ｆに直交する方向への長さＬ１は、セパレータ２７の全周の何れの位置でも同じである。
【００２３】
負極の活物質層２６の隣り合う２辺の各辺の長さ（長手方向の長さ及び短手方向の長さ）は、正極の活物質層２３の隣り合う２辺の各辺の長さ（長手方向の長さ及び短手方向の長さ）よりも長く設定されている。つまり、負極の活物質層２６は、正極の活物質層２３の面を覆うことが可能な大きさに設定されている。
【００２４】
図１に示すように、正極電極２１と、負極電極２４と、セパレータ２７は、正極の集電タブ３１が積層方向に沿って列状に配置され、且つ正極の集電タブ３１と重ならない位置にて負極の集電タブ３２が積層方向に沿って列状に配置されるように積層される。すなわち、正極の集電タブ３１と負極の集電タブ３２とは、電極組立体１４の同一辺側に突出している。各集電タブ３１，３２は、電極組立体１４における積層方向の一端から他端までの範囲内で集められた（束ねられた）状態で折り曲げられている。各正極の集電タブ３１が重なっている箇所を溶接することによって各正極の集電タブ３１が電気的に接続されるとともに、正極導電部材４１ａが接続されている。正極導電部材４１ａには、電極組立体１４から電気を取り出すための正極端子４１ｂが接続されている。
【００２５】
同様に、各負極の集電タブ３２が重なっている箇所を溶接することによって各負極の集電タブ３２が電気的に接続されるとともに、負極の集電タブ３２に負極導電部材４２ａが接続されている。負極導電部材４２ａには、電極組立体１４から電気を取り出すための負極端子４２ｂが接続されている。正極端子４１ｂ及び負極端子４２ｂは蓋体１３を貫通してケース１１外に突出するとともに、正極端子４１ｂ及び負極端子４２ｂは絶縁リング１３ｂによって蓋体１３から絶縁されている。
【００２６】
電極組立体１４の積層方向に沿った長さを、電極組立体１４の厚みとすると、電極組立体１４は、その厚みがケース１１の内寸より僅かに小さくなるように設定される。なお、ケース１１の内寸とは、対向する長側壁１２ｄの内面１２ｆ間の距離である。電極組立体１４は、積層方向の両方に矩形状の端面４４を有する。
【００２７】
電極組立体１４では、全ての正極電極２１、負極電極２４、及びセパレータ２７が第１保持テープ４５及び第２保持テープ４７により、相互に位置決めされた状態に保持されている。また、電極組立体１４は、二次電池１０におけるエネルギー密度の低下を抑える観点から、正極の活物質層２３の全面が、セパレータ２７を介して負極の活物質層２６に対向しているように製造されている。また、正極の活物質層２３と負極の活物質層２６が、セパレータ２７の縁を越えて対向しないように製造されている。このように精度良く製造された電極組立体１４に、積層方向や端面４４に沿う方向へのずれが生じないようにするために、電極組立体１４は第１保持テープ４５及び第２保持テープ４７で保持されている。なお、電極組立体１４は、積層し、加圧された後、第１保持テープ４５及び第２保持テープ４７によって保持される。
【００２８】
図５に示すように、電極組立体１４の一方の端面４４と、この端面４４に対向する一方の長側壁１２ｄの内面１２ｆ（ケース１１の内面）との隙間には、隙間充填部材５０が充填されている。隙間充填部材５０は、複数枚のシート部材５１を積層して構成された積層体である。隙間充填部材５０において、複数枚のシート部材５１が重なる方向を積層方向とし、その積層方向への長さを隙間充填部材５０の厚みとする。隙間充填部材５０は、積層されたシート部材５１の枚数に応じて、積層方向への長さが異なる。
【００２９】
図３及び図４に示すように、シート部材５１は、所定の厚みを有する矩形状であり、樹脂製である。複数枚のシート部材５１は全て同じ外形である。シート部材５１の隣り合う２辺の各辺の長さ（長手方向の長さ及び短手方向の長さ）は、正極の活物質層２３の隣り合う２辺の各辺の長さ（長手方向の長さ及び短手方向の長さ）よりも若干長く設定されている。つまり、シート部材５１は、正極の活物質層２３の全面を覆うことが可能な大きさに設定されている。また、シート部材５１の隣り合う２辺の各辺の長さ（長手方向の長さ及び短手方向の長さ）は、セパレータ２７の隣り合う２辺の各辺の長さ（長手方向の長さ及び短手方向の長さ）と同じである。すなわち、隙間充填部材５０とセパレータ２７は外形サイズが同じである。
【００３０】
隙間充填部材５０は、全てのシート部材５１の四辺に沿った縁部同士を溶着して形成された溶着部５０ａと、溶着部５０ａに取り囲まれた非溶着箇所である本体部５０ｂと、を有する。溶着部５０ａは、隙間充填部材５０の四辺全体に亘って設けられた四角環状であり、その溶着部５０ａに取り囲まれた本体部５０ｂは、正面視四角形状である。溶着部５０ａにおいて、隙間充填部材５０の面に沿い、かつ四辺に直交する方向への長さＬ２は全て同じである。また、溶着部５０ａは、溶着によって熱収縮しており、溶着部５０ａの厚みは全てのシート部材５１の厚みの和よりも薄い。さらに、溶着部５０ａの長さＬ２は、セパレータ２７での接合部２７ｇの長さＬ１より短い。一方、本体部５０ｂは熱収縮しておらず、本体部５０ｂの厚みは、全てのシート部材５１の厚みの和と同じであり、本体部５０ｂの面方向に沿ってほぼ同じである。隙間充填部材５０において、溶着部５０ａは本体部５０ｂより薄い。
【００３１】
隙間充填部材５０は、図示しない保持テープによって、電極組立体１４と一体に保持されている。そして、隙間充填部材５０を用いることで、電極組立体１４と隙間充填部材５０を合わせた積層方向への長さが、ケース本体１２の内寸より若干短くなるように調整されている。
【００３２】
図５に示すように、隙間充填部材５０の本体部５０ｂは、負極電極２４を介して正極の活物質層２３の全面に対向している。また、隙間充填部材５０の四角環状の溶着部５０ａの全面が、負極電極２４を介して、セパレータ２７の四角環状の接合部２７ｇと積層方向に対向している。よって、正極の活物質層２３のみが、全面で全ての層と積層方向に重なっており、正極の活物質層２３のみが、全面に亘って隙間充填部材５０（本体部５０ｂ）によって積層方向へ加圧されている。また、電極組立体１４は、ケース１１内では、隙間充填部材５０により、積層方向への移動が規制されている。
【００３３】
ケース１１内では、正極電極２１を包んだセパレータ２７は、第２の辺２７ｅがケース本体１２の底板１２ｂ上に支持され、負極電極２４は、第２の辺２５ｅがケース本体１２の底板１２ｂ上に支持されている。そして、隙間充填部材５０は、溶着部５０ａの下端縁がケース本体１２の底板１２ｂ上に支持されている。
【００３４】
また、正極電極２１を包んだセパレータ２７、負極電極２４及び隙間充填部材５０の上側には、正極導電部材４１ａ、及び負極導電部材４２ａが配置され、それらによって、セパレータ２７、負極電極２４及び隙間充填部材５０の上方への移動が規制されている。加えて、正極電極２１を包んだセパレータ２７の両第３の辺２７ｆ、負極電極２４の第３の辺２５ｆ、及び隙間充填部材５０の左右両端縁は、両短側壁１２ｃの内面に対向し、短側壁１２ｃによってセパレータ２７、負極電極２４及び隙間充填部材５０の左右方向への移動が規制されている。よって、ケース１１内では、セパレータ２７、負極電極２４及び隙間充填部材５０は、上下左右方向への移動が規制され、電極組立体１４と隙間充填部材５０が積層方向に対向した状態が維持されている。
【００３５】
次に、二次電池１０の作用を記載する。
二次電池１０において、隙間充填部材５０の本体部５０ｂが、負極電極２４を介して正極の活物質層２３の全面に対向し、積層方向に加圧している。
【００３６】
次に、二次電池１０の製造方法を記載する。
まず、予め規定された枚数の正極電極２１、負極電極２４、及びセパレータ２７を積層し、所定の荷重を加え、加圧する。加圧した状態で、第１保持テープ４５及び第２保持テープ４７により、相互に位置決めして電極組立体１４を製造する。次に、電極組立体１４の積層方向への長さを測定し、電極組立体１４の積層方向への長さに基づき、隙間充填部材５０の厚みを選択し、その選択した厚みを有する隙間充填部材５０を、電極組立体１４の一方の端面４４に積層する。その後、図示しない保持テープにより、隙間充填部材５０を電極組立体１４に一体化し、電極組立体１４と隙間充填部材５０を一括してケース本体１２に挿入する。その後、ケース本体１２の開口部１２ａを蓋体１３で閉塞して二次電池１０が製造される。
【００３７】
上記実施形態によれば、以下のような効果を得ることができる。
（１）隙間充填部材５０の本体部５０ｂが、電極組立体１４の積層方向において、負極電極２４を介して正極の活物質層２３の全面に対向している。言い換えると、隙間充填部材５０の溶着部５０ａの全面が、電極組立体１４の積層方向において、負極電極２４を介してセパレータ２７の接合部２７ｇに対向している。隙間充填部材５０の本体部５０ｂは溶着されておらず、溶着に伴う厚みのばらつきがない。したがって、隙間充填部材５０が溶着部５０ａを有する構成であっても、本体部５０ｂによって正極の活物質層２３の全面に圧力を均一に加えることができる。その結果、電極組立体１４の積層方向における正極と負極との活物質層２３，２６間の距離が面方向にばらつかず、リチウムイオンの析出を抑制することができる。
【００３８】
（２）隙間充填部材５０は、複数枚のシート部材５１の積層体であり、それら全てが一体化されている。このため、複数枚のシート部材５１を一括して扱うことができ、シート部材５１を１枚ずつ扱って隙間を充填する場合と比べると、二次電池１０の生産性が上がる。
【００３９】
（３）隙間充填部材５０は、本体部５０ｂを取り囲む四角環状の溶着部５０ａを有し、溶着部５０ａは隙間充填部材５０の全周に亘って設けられている。このため、複数枚のシート部材５１が面方向へずれることが抑制され、本体部５０ｂの厚みが変動することを抑制することができる。よって、ケース１１内では、本体部５０ｂの全面を、負極電極２４を介した正極の活物質層２３の全面に対向させた状態を維持することができる。
【００４０】
なお、上記実施形態は以下のように変更してもよい。
○  図６に示すように、隙間充填部材６０は、シート部材としての複数枚の第１シート部材６１と、第１シート部材６１より外形サイズの大きいシート部材としての２枚の第２シート部材６２を積層した積層体としてもよい。隙間充填部材６０において、複数枚の第１シート部材６１と、２枚の第２シート部材６２が重なる方向を積層方向とする。
【００４１】
第１シート部材６１は、所定の厚みを有する矩形状であり、樹脂製である。第１シート部材６１の隣り合う２辺の各辺の長さ（長手方向の長さ及び短手方向の長さ）は、正極の活物質層２３の隣り合う２辺の各辺の長さ（長手方向の長さ及び短手方向の長さ）よりも若干長く設定されている。つまり、第１シート部材６１は、正極の活物質層２３の面を覆うことが可能な大きさに設定されている。
【００４２】
第２シート部材６２は、所定の厚みを有する矩形状であり、樹脂製である。第２シート部材６２の隣り合う２辺の各辺の長さ（長手方向の長さ及び短手方向の長さ）は、正極の活物質層２３、及び第１シート部材６１の隣り合う２辺の各辺の長さ（長手方向の長さ及び短手方向の長さ）よりも長く設定されている。つまり、第２シート部材６２の外形サイズは、第１シート部材６１の外形サイズより大きく、第２シート部材６２は第１シート部材６１の全面を覆うことが可能な大きさに設定されている。
【００４３】
第２シート部材６２は、重ねた状態において、第１シート部材６１の四辺（四つの端縁）よりも、第２シート部材６２の端縁に向けてはみ出た、はみ出し部６２ａを備える。そして、隙間充填部材６０は、複数枚の第１シート部材６１を２枚の第２シート部材６２で挟んだ状態で、第２シート部材６２の対峙する縁部（はみ出し部６２ａ）同士を熱溶着して形成されている。
【００４４】
隙間充填部材６０は、対峙するはみ出し部６２ａ同士を溶着して形成された溶着部６０ａを備える。溶着部６０ａは、複数枚の第１シート部材６１を取り囲む四角環状である。溶着部６０ａにおいて、隙間充填部材６０の面に沿い、かつ四辺に直交する方向への長さＬ２は全て同じである。溶着部６０ａの長さＬ２は、セパレータ２７での接合部２７ｇの長さＬ１より短い。また、隙間充填部材６０は、溶着部６０ａで取り囲まれた平面視四角形状の本体部６３を有する。本体部６３は、第１シート部材６１と第２シート部材６２を合わせた積層体である。
【００４５】
このように構成した場合、実施形態の（１）〜（２）と同様の効果に加え、以下に記載の効果を得ることができる。すなわち、隙間充填部材６０は、２枚の第２シート部材６２で第１シート部材６１を挟んで形成されている。隙間充填部材６０は、その厚み調整のために、第１シート部材６１の枚数が変更されても、溶着するのは常に２枚の第２シート部材６２だけである。よって、厚みの異なる隙間充填部材６０の製造を溶着条件の変更無しに行うことができ、隙間充填部材６０の製造を効率化することができる。
【００４６】
なお、２枚の第２シート部材６２で挟むシート部材５１は、１枚でもよいし、隙間充填部材６０の厚みに合わせて枚数を適宜変更してもよい。
また、第２シート部材６２に挟まれる第１シート部材６１の外形サイズは、正極の活物質層２３より大きければ、積層される第１シート部材６１同士で異なっていてもよい。
【００４７】
○  隙間充填部材５０，６０の溶着部５０ａ，６０ａは、熱溶着でなくてもよく、超音波溶着、振動溶着、誘導溶着、高周波溶着、レーザ溶着、スピン溶着等であってもよい。
○  電極組立体１４の一方の端面４４と、一方の長側壁１２ｄの内面１２ｆとの隙間に隙間充填部材５０，６０を充填したが、電極組立体１４の両方の端面４４と、各端面４４に対向した長側壁１２ｄの内面１２ｆとの隙間に隙間充填部材５０，６０を充填してもよい。
【００４８】
○  電極組立体１４は、積層型に限らず、帯状の正極電極と帯状の負極電極を捲回して層状に積層した捲回型であってもよい。
○  正極電極２１は、正極用金属箔２２の両面に活物質層２３を有するとしたが、正極用金属箔２２の片面のみに活物質層２３を有していてもよい。同様に、負極電極２４は、負極用金属箔２５の両面に活物質層２６を有するとしたが、負極用金属箔２５の片面のみに活物質層２６を有していてもよい。
【００４９】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質層と負極活物質層との間をイオンが移動するとともに電荷の授受を行うものであればよい。
○  電極組立体１４とケース本体１２との間に、短絡を防止するための絶縁シートを配置してもよい。なお、この場合は、電極組立体１４と隙間充填部材５０，６０、及び絶縁シートを加えた積層方向への長さが、ケース本体１２の内寸より若干短くなるように、隙間充填部材５０，６０を調整する。
【００５０】
次に、上記実施形態及び別例から把握できる技術的思想について以下に追記する。
（イ）前記溶着部は熱溶着によって形成されている蓄電装置。
【符号の説明】
【００５１】
１０…蓄電装置としての二次電池、１１…ケース、１２ｆ…内面、１４…電極組立体、２１…正極電極、２３，２６…活物質層、２４…負極電極、２７…セパレータ、２７ａ…セパレータシート、４４…端面、５０，６０…隙間充填部材、５０ａ，６０ａ…溶着部、５０ｂ…本体部、５１…シート部材、６１…第１シート部材、６２…第２シート部材、６３…本体部。
【図１】
2015191724.tif 000003
【図２】
2015191724.tif 000004
【図３】
2015191724.tif 000005
【図４】
2015191724.tif 000006
【図５】
2015191724.tif 000007
【図６】
2015191724.tif 000008